(57)【要約】【課題】  表示部に表示する画像をユーザが主体的に切り換えることができる負荷制御装置、配線器具、負荷制御装置の表示方法、及びプログラムを提供する。【解決手段】  負荷制御装置１は、造営面に固定される。負荷制御装置１は、画面１１ａを有する表示部１１１と、照明器具２１の制御内容に応じた操作がなされる操作部１１２と、を備える。表示部１１１は、２つ以上の表示モードのいずれかに属する複数の画像のうち操作部１１２の操作に対応する画像を画面１１ａに表示する。複数の画像は、当該画像の表示モードに対応する情報、及び他の表示モードの画像に切り替えるための情報をそれぞれ含む。【選択図】図４
2020137129.tif 000002
【特許請求の範囲】
【請求項１】
造営面に固定される負荷制御装置であって、
画面を有する表示部と、
負荷の制御内容に応じた操作がなされる操作部と、を備え、
前記表示部は、２つ以上の表示モードのいずれかに属する複数の画像のうち前記操作部の操作に対応する画像を前記画面に表示し、
前記複数の画像は、当該画像の前記表示モードに対応する情報、及び他の前記表示モードの画像に切り替えるための情報をそれぞれ含む
負荷制御装置。
【請求項２】
前記画面に表示される画像を表示画像とし、
前記表示部は、前記表示画像を切り換えるときに動作電力を消費し、前記表示画像を保持するための動作電力を消費しない自己保持型の表示器である
請求項１記載の負荷制御装置。
【請求項３】
前記負荷へ負荷電力を供給する電路を前記操作部の操作に応じて導通又は遮断することで、前記負荷電力を調整するスイッチをさらに備える
請求項１又は２記載の負荷制御装置。
【請求項４】
前記電路は、２線式の電路である
請求項３記載の負荷制御装置。
【請求項５】
交流電源から負荷へ負荷電力を供給する電路を導通又は遮断するスイッチと、
タッチパネル式の画面を有する表示部と、
前記画面に設けられて、前記負荷の制御内容に応じた操作がなされる操作部と、
前記操作部の操作に応じて前記スイッチを制御するスイッチ制御部と、
前記スイッチ制御部、前記表示部、及び前記操作部の各動作電力を生成する制御電源と、を備え、
前記表示部は、２つ以上の表示モードのいずれかに属する複数の画像のうち前記操作部の操作に対応する画像を、表示画像として前記画面に表示し、前記表示画像を切り換えるときに動作電力を消費し、前記表示画像を保持するための動作電力を消費しない自己保持型の表示器であり、
前記制御電源は、前記交流電源の交流電圧が正電圧である期間及び前記交流電圧が負電圧である期間のうち、少なくとも一方の期間において、前記電路を介して受け取った電力を蓄電し、
前記複数の画像は、当該画像の表示モードに対応する情報、及び他の表示モードの画像に切り替えるための情報をそれぞれ含む
配線器具。
【請求項６】
前記制御電源は、前記少なくとも一方の期間において、前記交流電圧のゼロクロスタイミング以前又は以降の半周期以内の期間に前記電路を介して受け取った電力を蓄電する
請求項５記載の配線器具。
【請求項７】
前記複数の画像は、前記２つ以上の表示モードのいずれか１つにのみに属する
請求項５又は６記載の配線器具。
【請求項８】
前記２つ以上の表示モードのうち少なくとも１つの表示モードには、２つ以上の画像が属し、前記２つ以上の画像は階層的に構成されている
請求項５乃至７のいずれか一つに記載の配線器具。
【請求項９】
前記負荷は、複数の照明器具であり、
前記２つ以上の表示モードは、前記複数の照明器具のそれぞれを予め決められた状態に制御するシーン制御の表示モードを含む
請求項５乃至８のいずれか一つに記載の配線器具。
【請求項１０】
前記２つ以上の表示モードは、外部機器から取得された外部情報を表示する情報提示の表示モードを含む
請求項５乃至９のいずれか一つに記載の配線器具。
【請求項１１】
造営面に固定される負荷制御装置の表示方法であって、
２つ以上の表示モードのいずれかに属する複数の画像のうち前記負荷制御装置の操作に対応する画像を前記負荷制御装置の画面に表示し、
前記複数の画像は、当該画像の表示モードに対応する情報、及び他の表示モードの画像に切り替えるための情報をそれぞれ含む
負荷制御装置の表示方法。
【請求項１２】
コンピュータシステムに、請求項１１記載の負荷制御装置の表示方法を実現させるためのプログラム。
【発明の詳細な説明】
【技術分野】
【０００１】
本開示は、負荷制御装置、配線器具、負荷制御装置の表示方法、及びプログラムに関する。
【背景技術】
【０００２】
従来、造営材に埋め込まれる埋込型の配線器具として、特許文献１の配線装置がある。配線装置における操作用ハンドルの操作面には、電子情報を表示する電子情報表示部としての電子ペーパーが形成されている。すなわち、配線装置には電子情報表示装置が組み込まれている。電子情報表示装置は、不法侵入者の検知結果、ガス漏れ異常の検知結果、外部電子機器が、所定の動作（炊飯や湯沸かしなど）を完了したことを示すメッセージ、地震速報、又は天気予報などを表示する。
【先行技術文献】
【特許文献】
【０００３】
【特許文献１】特開２０１３−１６１６３８号公報
【発明の概要】
【発明が解決しようとする課題】
【０００４】
ところで、上述の特許文献１の配線装置（配線器具）では、電子情報表示部（表示部）に表示する画像をユーザが主体的に切り換えることはできなかった。
【０００５】
本開示の目的は、表示部に表示する画像をユーザが主体的に切り換えることができる負荷制御装置、配線器具、負荷制御装置の表示方法、及びプログラムを提供することにある。
【課題を解決するための手段】
【０００６】
本開示の一態様に係る負荷制御装置は、造営面に固定される。前記負荷制御装置は、画面を有する表示部と、負荷の制御内容に応じた操作がなされる操作部と、を備える。前記表示部は、２つ以上の表示モードのいずれかに属する複数の画像のうち前記操作部の操作に対応する画像を前記画面に表示する。前記複数の画像は、当該画像の表示モードに対応する情報、及び他の表示モードの画像に切り替えるための情報をそれぞれ含む。
【０００７】
本開示の一態様に係る配線器具は、スイッチと、表示部と、操作部と、スイッチ制御部と、制御電源と、を備える。前記スイッチは、交流電源から負荷へ負荷電力を供給する電路を導通又は遮断する。前記表示部は、タッチパネル式の画面を有する。前記操作部は、前記画面に設けられて、前記負荷の制御内容に応じた操作がなされる。前記スイッチ制御部は、前記操作部の操作に応じて前記スイッチを制御する。前記制御電源は、前記スイッチ制御部、前記表示部、及び前記操作部の各動作電力を生成する。前記表示部は、２つ以上の表示モードのいずれかに属する複数の画像のうち前記操作部の操作に対応する画像を、表示画像として前記画面に表示する。前記表示部は、前記表示画像を切り換えるときに動作電力を消費し、前記表示画像を保持するための動作電力を消費しない自己保持型の表示器である。前記制御電源は、前記交流電源の交流電圧が正電圧である期間及び前記交流電圧が負電圧である期間のうち、少なくとも一方の期間において、前記電路を介して受け取った電力を蓄電する。前記複数の画像は、当該画像の前記表示モードに対応する情報、及び他の前記表示モードの画像に切り替えるための情報をそれぞれ含む。
【０００８】
本開示の一態様に係る負荷制御装置の表示方法は、造営面に固定される負荷制御装置の表示方法である。前記表示方法は、２つ以上の表示モードのいずれかに属する複数の画像のうち前記負荷制御装置の操作に対応する画像を前記負荷制御装置の画面に表示する。前記複数の画像は、当該画像の表示モードに対応する情報、及び他の表示モードの画像に切り替えるための情報をそれぞれ含む。
【０００９】
本開示の一態様に係るプログラムは、コンピュータシステムに、上述の負荷制御装置の表示方法を実現させる。
【発明の効果】
【００１０】
以上説明したように、本開示は、表示部に表示する画像をユーザが主体的に切り換えることができるという効果がある。
【図面の簡単な説明】
【００１１】
【図１】図１は、本開示の実施形態に係る負荷制御装置（配線器具）を備える管理システムを示すブロック図である。
【図２】図２は、同上の管理システムのコントローラを示すブロック図である。
【図３】図３は、同上の配線器具の施工後の前面を示す平面図である。
【図４】図４は、同上の配線器具を示すブロック図である。
【図５】図５は、同上のスイッチモードの表示画像として表示される各画像を示す平面図である。
【図６】図６は、同上のシーンモードの表示画像として表示される各画像を示す平面図である。
【図７】図７は、同上のシーンモードの別の表示画像として表示される各画像を示す平面図である。
【図８】図８は、同上の情報提示モードの表示画像として表示される各画像を示す平面図である。
【図９】図９は、同上の情報提示モードの別の表示画像として表示される各画像を示す平面図である。
【図１０】図１０は、同上の別のシーンモードの表示画像として表示される各画像を示す平面図である。
【図１１】図１１は、同上の別のシーンモードの表示画像として表示される画像を示す平面図である。
【図１２】図１２Ａは、同上の配線器具の前面を示す平面図である。図１２Ｂは、同上の配線器具の左側面を示す平面図である。図１２Ｃは、同上の配線器具の右側面を示す平面図である。図１２Ｄは、同上の配線器具の上面を示す平面図である。図１２Ｅは、同上の配線器具の下面を示す平面図である。図１２Ｆは、同上の配線器具の後面を示す平面図である。
【図１３】図１３は、同上の表示方法を示すフローチャートである。
【図１４】図１４Ａは、同上の配線器具の前面を示す平面図である。図１４Ｂは、同上の配線器具の左側面を示す平面図である。図１４Ｃは、同上の配線器具の右側面を示す平面図である。図１４Ｄは、同上の配線器具の上面を示す平面図である。図１４Ｅは、同上の配線器具の下面を示す平面図である。図１４Ｆは、同上の配線器具の後面を示す平面図である。
【図１５】図１５Ａは、同上の配線器具の前面を示す平面図である。図１５Ｂは、同上の配線器具の左側面を示す平面図である。図１５Ｃは、同上の配線器具の右側面を示す平面図である。図１５Ｄは、同上の配線器具の上面を示す平面図である。図１５Ｅは、同上の配線器具の下面を示す平面図である。図１５Ｆは、同上の配線器具の後面を示す平面図である。
【発明を実施するための形態】
【００１２】
下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。また、以下の説明では、以下の説明では、特に断りのない限り、図３において、上下、左右の各方向が規定されている。なお、本実施形態において用いられる上下左右の各方向は、説明のために便宜的に用いられており、実施の形態における各方向を限定するために用いられていない。
【００１３】
以下の実施形態は、一般に負荷制御装置、配線器具、負荷制御装置の表示方法、及びプログラムに関する。より詳細に、以下の実施形態は、表示部を備える負荷制御装置、配線器具、負荷制御装置の表示方法、及びコンピュータに負荷制御装置の表示方法を実現させるプログラムに関する。
【００１４】
実施形態に係る負荷制御装置の一例として、配線器具を示す。実施形態に係る配線器具は、建物の壁面などの造営面に設けられた埋込孔に埋め込まれる、埋込型の配線器具である。ただし、負荷制御装置１は、埋込型の配線器具に限定されない。負荷制御装置は、壁面などの造営面に直付けされる露出型の装置であってもよいし、据置型の装置であってもかまわない。
【００１５】
図１は、負荷制御装置１として配線器具１０を備える管理システムＣＳ１のシステム構成図である。管理システムＣＳ１は、施設８内の負荷２の監視及び制御、負荷２による消費電力の監視、及び外部のサーバ５とのネットワーク通信などの各機能を備える。ここでいう「施設」は、負荷２が備え付けられている建物であり、負荷２のユーザが居住する建物、又はユーザが一時的に利用する建物である。本実施形態の施設８は、電力会社等の電気事業者から電力の供給を受けているが、太陽光発電設備等の自家発電設備から電力の供給を受けてもよい。
【００１６】
管理システムＣＳ１は、施設８で使用されるエネルギーを管理するＨＥＭＳ（Home Energy Management System）であることが好ましい。ＨＥＭＳは、施設８に設けられた負荷２などによるエネルギーの使用状況を計測する機能、及び負荷２などを制御する機能などを備える。
【００１７】
管理システムＣＳ１は、負荷制御装置１である配線器具１０、コントローラ３、及びルータ４を備え、複数の負荷２を直接的又は間接的に管理する。
【００１８】
コントローラ３は、図２に示すように、管理回路３１、及び通信部３２を備える。コントローラ３は、例えばＨＥＭＳのコントローラであり、複数の負荷２の各状態を直接的又は間接的に監視する機能や、複数の負荷２を直接的又は間接的にそれぞれ制御する機能を有する。管理回路３１は、コンピュータシステムで構成されることが好ましい。コンピュータシステムは、ハードウェアとしてのプロセッサ及びメモリを主構成とする。コンピュータシステムのメモリに記録されたプログラムをプロセッサが実行することによって、本開示における管理回路３１の機能が実現される。プログラムは、コンピュータシステムのメモリにあらかじめ記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む一ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、一つ以上のプロセッサ及び一つ以上のメモリを有するマイクロコントローラを含む。したがって、マイクロコントローラについても、半導体集積回路又は大規模集積回路を含む一ないし複数の電子回路で構成される。
【００１９】
通信部３２は、例えばイーサネット（登録商標）規格に準拠した通信インタフェースを有しており、屋内ネットワークＮＴ１を介して通信することができる。すなわち、コントローラ３は、屋内ネットワークＮＴ１に接続されている。
【００２０】
屋内ネットワークＮＴ１には、２つの配線器具１０、及び２つの負荷２もそれぞれ接続されている。コントローラ３と配線器具１０及び負荷２のそれぞれとは、屋内ネットワークＮＴ１を介して通信することができる。屋内ネットワークＮＴ１を介した通信は、例えばイーサネット規格に準拠した通信である。なお、図１において、屋内ネットワークＮＴ１に接続されている２つの負荷２は、電動シャッター２２、及び電気錠２３である。
【００２１】
さらに、屋内ネットワークＮＴ１にはルータ４が接続されている。ルータ４は、ブロードバンドルータである。したがって、コントローラ３は、ルータ４を介して、インターネットを含む外部の広域ネットワークＮＴ２に接続されている。広域ネットワークＮＴ２には、外部のサーバ５も接続されている。コントローラ３とサーバ５とは、広域ネットワークＮＴ２を介して通信することができる。
【００２２】
ルータ４は、例えばＷｉ−Ｆｉ（登録商標）規格に準拠した無線ＬＡＮの通信インタフェースも備えていてもよい。この場合、コントローラ３は、ルータ４を介して、無線ＬＡＮの通信インタフェースを備えるスマートフォン、及びＨＥＭＳの専用モニタ装置などの図示しない情報端末と通信可能である。
【００２３】
また、コントローラ３は、無線局の免許が不要な小電力無線の通信インタフェースを備えていてもよい。この種の小電力無線については、用途等に応じて使用する周波数帯域や空中線電力等の仕様が各国で規定されている。日本国においては、９２０ＭＨｚ帯又は４２０ＭＨｚ帯の電波を使用する小電力無線（特定小電力無線）が規定されている。例えば、施設８には、施設８の幹線及び複数の分岐回路の各々の電流、電力、又は電圧などを計測する電力計測ユニットが設置されており、コントローラ３は、小電力無線の通信により電力計測ユニットから各計測値を受け取る。また、コントローラ３は、小電力無線の通信により、図示しない負荷を制御するための情報を、制御対象の負荷へ送信する。
【００２４】
配線器具１０は、２線式の配線器具であり、当該配線器具１０の負荷２として照明器具２１が接続されている。照明器具２１は、例えばＬＥＤ（Light Emitting Diode）などの光源と、光源を点灯させるための点灯回路とを具備する。図１では、２台の配線器具１０が図示されており、２台の配線器具１０を区別するときは、配線器具１０Ａ、１０Ｂと称す。また、図１では、２台の照明器具２１を図示しており、２台の照明器具２１を区別する場合には、照明器具２１Ａ、２１Ｂと称す。配線器具１０Ａには照明器具２１Ａが接続され、配線器具１０Ｂには照明器具２１Ｂが接続されている。
【００２５】
ユーザは、照明器具２１の点灯、消灯、及び調光、電動シャッター２２及び電気錠２３の制御、並びにサーバ５から取得された情報の表示などのために、配線器具１０を操作する。また、照明器具２１は、調色が可能であってもよい。
【００２６】
配線器具１０は、図３に示すように、施設８の壁面８１に埋め込まれている。壁面８１には、図示しない埋込ボックスが埋設されている。埋込ボックスは、前面が開口した矩形箱状に形成される。壁面８１では、矩形枠状の配線器具用プレートＰ１が配線器具１０の周囲を囲んでいる。
【００２７】
図１では、配線器具１０は、１００Ｖ系又は２００Ｖ系の商用の交流電源９から交流電力を供給される。配線器具１０は、一対の電力線Ｗｉ１、Ｗｉ２を介して交流電源９に接続される２線式の配線器具である。さらに、配線器具１０は、当該配線器具１０の負荷２として照明器具２１に一対の電力線Ｗｏ１、Ｗｏ２を介して接続されている。配線器具１０は、交流電源９から一対の電力線Ｗｉ１、Ｗｉ２を介して入力された交流電圧Ｖａ１を位相制御し、位相制御した電圧を位相制御電圧Ｖａ２として、一対の電力線Ｗｏ１、Ｗｏ２を介して照明器具２１へ出力する。
【００２８】
配線器具１０Ａは、一対の電力線Ｗｉ１、Ｗｉ２に接続されている。配線器具１０Ａと配線器具１０Ｂとの間は、一対の電力線Ｗｉ１１、Ｗｉ１２で送り配線されている。配線器具１０Ａの内部では、電力線Ｗｉ１１は電力線Ｗｉ１に接続しており、電力線Ｗｉ１２は電力線Ｗｉ２に接続している。したがって、配線器具１０Ａは、交流電源９から一対の電力線Ｗｉ１、Ｗｉ２を介して交流電力を供給される。配線器具１０Ｂは、交流電源９から一対の電力線Ｗｉ１、Ｗｉ２及び一対の電力線Ｗｉ１１、Ｗｉ１２を介して交流電力を供給される。
【００２９】
図３に示すように、配線器具１０の前面にはタッチパネル１１が配置されており、タッチパネル１１は、図４に示す表示部１１１、及び操作部１１２として機能する。表示部１１１は、白及び黒の２色表示が可能な電子ペーパーの画面１１ａを有し、画面１１ａは、配線器具用プレートＰ１の開口から露出している。電子ペーパーは、画像の書き換え時に動作電力を消費し、画面１１ａに表示された画像を保持するための動作電力が不要である自己保持型の表示器（ディスプレイ）である。さらに、画面１１ａは、抵抗膜方式、静電容量方式、又は電磁誘導方式などの周知の方式のタッチパネルであり、ユーザの指又はペンなどによる画面１１ａへのタッチ操作（タップ）が可能である。すなわち、タッチパネル１１は、ユーザによる画面１１ａへの操作を受け付ける操作部１１２としても機能する。なお、ユーザの指による画面１１ａへのピンチ、フリック、及びスワイプなどの各操作が可能であってもよい。また、タッチパネル１１は、操作部１１２の操作時に画面１１ａに振動を発生させるアクチュエータをさらに備えていることが好ましい。また、電子ペーパーが表示可能な色は、白及び黒以外でもよく、さらには３色以上であってもよい。
【００３０】
配線器具１０は、上述のタッチパネル１１（表示部１１１、及び操作部１１２）以外に、通信部１２、制御電源１３、位相制御スイッチ（スイッチ）１４、及びスイッチ制御部１５を備える（図４参照）。
【００３１】
通信部１２は、例えばイーサネット規格に準拠した通信インタフェースを有しており、屋内ネットワークＮＴ１を介して通信することができる。
【００３２】
制御電源１３は、交流電圧Ｖａ１を入力され、交流電圧Ｖａ１から所定の大きさの直流電圧を制御電圧Ｖｓ１として生成する。制御電圧Ｖｓ１は、タッチパネル１１、通信部１２、位相制御スイッチ１４、及びスイッチ制御部１５などに入力され、タッチパネル１１、通信部１２、位相制御スイッチ１４、及びスイッチ制御部１５がそれぞれ動作する。すなわち、制御電源１３は、タッチパネル１１（表示部１１１、操作部１１２）、通信部１２、位相制御スイッチ１４、及びスイッチ制御部１５の各動作電力を生成する。制御電源１３は、交流電圧Ｖａ１を整流する整流器と、整流器の出力電圧を制御電圧Ｖｓ１に変換するスイッチング電源又はリニア電源と、を備える。
【００３３】
位相制御スイッチ１４は、トライアック、サイリスタ、ＦＥＴ（Field effect transistor）、バイポーラトランジスタなどの半導体スイッチング素子、又はリレーなどである。特に位相制御には、位相制御スイッチ１４として、トライアック、又は一対のサイリスタを用いることが好ましい。位相制御スイッチ１４は、交流電源９から照明器具２１へ負荷電力を供給する電路Ｗ０を導通又は遮断することで、負荷電力を調整することができる。配線器具１０Ａの電路Ｗ０（図４参照）は、電力線Ｗｉ１、Ｗｉｏ１、Ｗｏ２、Ｗｉ２で構成された２線式の電路である。配線器具１０Ｂの電路Ｗ０は、電力線Ｗｉ１、Ｗｉ１１、Ｗｉｏ１、Ｗｏ２、Ｗｉ１２、Ｗｉ２で構成された２線式の電路である。すなわち、交流電源９の両端間に位相制御スイッチ１４と照明器具２１との直列回路が接続している。
【００３４】
スイッチ制御部１５は、位相制御スイッチ１４の導通角を調整する。具体的に、スイッチ制御部１５は、交流電圧Ｖａ１の半波毎に、位相制御電圧Ｖａ２の導通角（導通期間）を調整する（位相制御）。そして、スイッチ制御部１５が、位相制御電圧Ｖａ２の導通角を調整することによって、照明器具２１は点灯、消灯、又は調光される。なお、照明器具２１は、位相制御電圧Ｖａ２の導通角に応じて調色可能な構成であってもよい。
【００３５】
（２）動作説明
以下、配線器具１０を備える管理システムＣＳ１の動作について説明する。
【００３６】
コントローラ３の管理回路３１は、画像データを含む画像信号の送信を通信部３２に実行させることができる。通信部３２は、画像信号を屋内ネットワークＮＴ１を介して配線器具１０へ送信する。画像信号には、送信先の配線器具１０の識別情報（ＩＰアドレス、又はＭＡＣアドレスなど）として、配線器具１０Ａ又は１０Ｂの少なくとも一方の識別情報が含まれる。画像信号を受け取った配線器具１０では、表示部１１１が、画像データに基づいた画像を画面１１ａに表示する。
【００３７】
管理回路３１は、２つ以上の表示モードのいずれかに属する複数の画像データを予め記憶している。管理回路３１は、複数の画像データのうちいずれかの画像データを含む画像信号の送信を、通信部３２に実行させることができる。本実施形態の２つ以上の表示モードは、少なくともスイッチモード、シーンモード、及び情報提示モードを含む。スイッチモードは、操作部１１２の操作によって、当該配線器具１０に接続されている照明器具２１を点灯、消灯、又は調光する個別制御のための表示モードである。シーンモードは、操作部１１２の操作によって、当該配線器具１０に接続されている照明器具２１を予め決められている状態（調光レベル、及び光色など）に制御するシーン制御のための表示モードである。情報提示モードは、操作部１１２の操作によって、各種情報を画面１１ａに表示させるための表示モードである。なお、表示モードは、上記の各モードに限定されず、他のモードを含んでいてもよい。
【００３８】
画像データによって画面１１ａに表示された画像のそれぞれは、当該画像の表示モードに対応する情報、及び他の表示モードの画像に切り替えるための情報をそれぞれ含む。
【００３９】
また、複数の画像は、スイッチモード、シーンモード、及び情報提示モードなどのいずれか１つのモードにのみ属している。したがって、配線器具１０は、全てのモードの情報を表示して、全てのモードから１つのモードを選択することができるホーム画面を表示する必要がない。したがって、配線器具１０は、ホームボタンを備える必要がない。
【００４０】
また、画面１１ａに形成された操作部１１２がユーザによって操作されると、通信部１２は、操作に応じた信号を、屋内ネットワークＮＴ１を介して送信先の機器（コントローラ３、又は他の負荷２など）へ送信する。すなわち、通信部１２は、操作部１１２の操作内容、又は操作部１１２の操作による照明器具２１の状態変化を、コントローラ３へ通知できる。
【００４１】
コントローラ３の管理回路３１は、操作部１１２の各操作に対応した画像データを、管理回路３１のメモリに予め記憶している。管理回路３１は、操作部１１２の操作内容、又は操作部１１２の操作による照明器具２１の状態変化に応じた画像データをメモリから読み出し、読み出した画像データ含む画像信号の送信を通信部３２に実行させる。配線器具１０は、操作部１１２の操作に応答してコントローラ３から送信された画像データに受け取り、操作部１１２の操作毎に画面１１ａに表示する画像を切り換えることができる。
【００４２】
また、配線器具１０は、メモリを備えて、操作部１１２の各操作に対応した画像データをメモリに予め記憶していてもよい。この場合、配線器具１０は、操作部１１２の操作に対応する画像データをメモリから読み出すことで、操作部１１２の操作毎に画面１１ａに表示する画像を切り換えることができる。
【００４３】
以下、スイッチモード、シーンモード、及び情報提示モードのそれぞれにおける配線器具１０の表示動作を例示する。
【００４４】
（スイッチモード）
ここでは、配線器具１０及び照明器具２１は、寝室に設置されているとする。
【００４５】
図５は、表示モードがスイッチモードであるときに配線器具１０の画面１１ａに表示画像として表示される各画像（スイッチ画像）を示す。スイッチ画像には、スイッチ画像Ｇ１（図５の左上）、Ｇ２（図５の右上）、Ｇ２００（図５の右下）が含まれる。
【００４６】
まず、スイッチ制御部１５が位相制御スイッチ１４の導通角を下限値に制御することで、照明器具２１は消灯する。照明器具２１が消灯していれば、画面１１ａにはスイッチ画像Ｇ１が表示画像として表示されている。スイッチ画像Ｇ１の上部の中央はラベル領域Ｒ１であり、ラベル領域Ｒ１には、照明器具２１の名称である「メイン照明」の文字が表示されている。ラベル領域Ｒ１の下方は、照明器具２１の状態を示す通知領域Ｒ２であり、通知領域Ｒ２には、消灯状態を表すシンボル、及び「消灯」の文字が表示されている。ラベル領域Ｒ１の左方は、操作領域Ｒ３であり、操作領域Ｒ３には左方向を示す記号「＜」が表示されている。ラベル領域Ｒ１の右方は、操作領域Ｒ４であり、操作領域Ｒ４には右方向を示す記号「＞」が表示されている。通知領域Ｒ２の下方は、操作領域Ｒ５、Ｒ６であり、操作領域Ｒ５、Ｒ６は、左右方向に並んで形成されている。操作領域Ｒ５には、「シーン」の文字が表示されている。操作領域Ｒ６には、「情報」の文字が表示されている。したがって、スイッチ画像Ｇ１を見たユーザは、照明器具２１が消灯していることを認識できる。このとき、配線器具用プレートＰ１の下部に設けられた補助灯１６が点灯していることが好ましい。補助灯１６は、例えばＬＥＤを含み、ＬＥＤが発する光は前方へ照射される。
【００４７】
ユーザは、照明器具２１を点灯させる場合には、スイッチ画像Ｇ１の通知領域Ｒ２をタッチ操作する。スイッチ画像Ｇ１の通知領域Ｒ２がタッチ操作されると、スイッチ制御部１５は、位相制御スイッチ１４を制御して、照明器具２１を点灯させる。この場合、照明器具２１は、全点灯（調光レベル１００%での点灯）する。さらに、通信部１２は、照明器具２１が点灯していること（あるいは、点灯操作がなされたこと）をコントローラ３へ通知する。そして、表示部１１１は、スイッチ画像Ｇ２を表示画像として画面１１ａに表示する。スイッチ画像Ｇ２の通知領域Ｒ２には、点灯状態を表すシンボル、及び「点灯１００％」の文字が表示されている。
【００４８】
通知領域Ｒ２内において、「点灯１００％」の文字が表示されている領域は操作領域Ｒ７となる。スイッチ画像Ｇ２の操作領域Ｒ７がタッチ操作されると、通信部１２は、操作領域Ｒ７がタッチ操作されたことをコントローラ３へ通知する。そして、表示部１１１は、スイッチ画像Ｇ２００を表示画像として画面１１ａに表示する。スイッチ画像Ｇ２００の上部の中央はラベル領域Ｒ８であり、ラベル領域Ｒ８には、照明器具２１の名称である「メイン照明」の文字が表示されている。ラベル領域Ｒ８の下方は、照明器具２１の調光レベルを示す通知操作領域Ｒ９であり、通知操作領域Ｒ９には、上下方向に並んで配置された５つの円形領域Ｒ１０が形成されている。
【００４９】
そして、現在の調光レベルに応じて、５つの円形領域Ｒ１０のうちいずれか１つの円形領域Ｒ１０のみが黒色で表示され、他の円形領域Ｒ１０は白色で表示される。そして、現在の調光レベルが高いほど、より上方に位置する円形領域Ｒ１０が黒くなる。例えば、現在の調光レベルが１００％（全点灯）であれば、最も上に位置する円形領域Ｒ１０が黒くなる。現在の調光レベルが下限レベルであれば、最も下に位置する円形領域Ｒ１０が黒くなる。すなわち、通知操作領域Ｒ９では、現在の調光レベルが段階的に表示される。
【００５０】
ユーザは、照明器具２１の調光レベルを変更する場合には、スイッチ画像Ｇ２００の５つの円形領域Ｒ１０のいずれか１つをタッチ操作する。スイッチ画像Ｇ２００の円形領域Ｒ１０がタッチ操作されると、スイッチ制御部１５は、タッチ操作された円形領域Ｒ１０に対応する調光レベルになるように、位相制御スイッチ１４を制御する。この結果、照明器具２１は、スイッチ画像Ｇ２００で指示された調光レベルで点灯する。さらに、通信部１２は、照明器具２１の変更後の調光レベルをコントローラ３へ通知する。
【００５１】
通知操作領域Ｒ９の下方は、調光レベルの設定が完了したときにタッチ操作される操作領域Ｒ１１である。操作領域Ｒ１１には、「ＯＫ」の文字が表示されている。ユーザは、照明器具２１の調光レベルの設定が完了すると、操作領域Ｒ１１をタッチ操作する。スイッチ画像Ｇ２００の操作領域Ｒ１１がタッチ操作されると、通信部１２は、調光レベルの設定が完了したことをコントローラ３へ通知する。そして、表示部１１１は、スイッチ画像Ｇ２を表示画像として画面１１ａに表示する。
【００５２】
ユーザは、照明器具２１を消灯させる場合には、スイッチ画像Ｇ２の通知領域Ｒ２をタッチ操作する。スイッチ画像Ｇ２の通知領域Ｒ２がタッチ操作されると、スイッチ制御部１５は、位相制御スイッチ１４を制御して、照明器具２１を消灯させる。さらに、通信部１２は、照明器具２１が消灯していること（あるいは、消灯操作がなされたこと）をコントローラ３へ通知する。そして、表示部１１１は、スイッチ画像Ｇ１を表示画像として画面１１ａに表示する。
【００５３】
上述のスイッチ画像Ｇ１又はＧ２の操作領域Ｒ５がタッチ操作されると、表示モードがスイッチモードからシーンモードに切り替わる。また、スイッチ画像Ｇ１又はＧ２の操作領域Ｒ６がタッチ操作されると、表示モードがスイッチモードから情報提示モードに切り替わる。
【００５４】
上述のスイッチ画像Ｇ１、Ｇ２とスイッチ画像Ｇ２００とは階層的に構成されている。スイッチ画像Ｇ１、Ｇ２が上位画像であり、スイッチ画像Ｇ２００がスイッチ画像Ｇ２の下位画像になる。上位画像であるスイッチ画像Ｇ１、Ｇ２でのみ、表示モードをスイッチモードからシーンモード又は情報提示モードに切り替える操作が可能になる。
【００５５】
スイッチ画像Ｇ１又はＧ２の操作領域Ｒ５がタッチ操作されると、通信部１２は、スイッチモードからシーンモードへの切換操作がなされたことをコントローラ３へ通知する。そして、表示部１１１は、シーン画像Ｇ１１（図６の左上）、Ｇ１２（図６の右上）、Ｇ１３（図７の左上）、Ｇ１４（図７の右上）のいずれかを表示画像として画面１１ａに表示する。
【００５６】
スイッチ画像Ｇ１又はＧ２の操作領域Ｒ６がタッチ操作されると、通信部１２は、スイッチモードから情報提示モードへの切換操作がなされたことをコントローラ３へ通知する。そして、表示部１１１は、情報画像Ｇ２１（図８の左）、Ｇ２２（図８の右）、Ｇ２３（図９の左）、Ｇ２４（図９の右）のいずれかを表示画像として画面１１ａに表示する。
【００５７】
本スイッチモードでは、操作部１１２は、上述の通知領域Ｒ２、操作領域Ｒ３、Ｒ４、Ｒ５、Ｒ６、通知操作領域Ｒ９、及び円形領域Ｒ１０を含む。
【００５８】
本スイッチモードでは、ラベル領域Ｒ１、通知領域Ｒ２、操作領域Ｒ３、Ｒ４、ラベル領域Ｒ８、及び通知操作領域Ｒ９が、各画像の表示モードに対応する情報に相当する。また、操作領域Ｒ５、Ｒ６が、他の表示モードの画像に切り替えるための情報に相当する。
【００５９】
（シーンモード１）
ここでは、配線器具１０及び照明器具２１は、寝室に設置されているとする。この場合、電動シャッター２２、及び電気錠２３は、寝室の窓にそれぞれ設置されている。
【００６０】
図６及び図７は、表示モードがシーンモードであるときに配線器具１０の画面１１ａに表示画像として表示される各画像（シーン画像）を示す。シーン画像には、シーン画像Ｇ１１、Ｇ１２、Ｇ１３、Ｇ１４、Ｇ１１０（図６の左下）、Ｇ１３０（図７の左下）、Ｇ１４０（図７の右下）が含まれる。
【００６１】
シーン画像Ｇ１１、Ｇ１２、Ｇ１３、Ｇ１４の各上部の中央はラベル領域Ｒ２１である。シーン画像Ｇ１１のラベル領域Ｒ２１には、シーン制御の識別番号である「シーン１／４」の文字が表示されている。シーン画像Ｇ１２のラベル領域Ｒ２１には、シーン制御の識別番号である「シーン２／４」の文字が表示されている。シーン画像Ｇ１３のラベル領域Ｒ２１には、シーン制御の識別番号である「シーン３／４」の文字が表示されている。シーン画像Ｇ１４のラベル領域Ｒ２１には、シーン制御の識別番号である「シーン４／４」の文字が表示されている。
【００６２】
シーン画像Ｇ１１、Ｇ１２、Ｇ１３、Ｇ１４の各ラベル領域Ｒ２１の下方は、シーン制御の名称を示す通知領域Ｒ２２である。シーン画像Ｇ１１の通知領域Ｒ２２には、くつろぎを表すシンボル、及び「くつろぎ」の文字が表示されている。シーン画像Ｇ１２の通知領域Ｒ２２には、シアターを表すシンボル、及び「シアター」の文字が表示されている。シーン画像Ｇ１３の通知領域Ｒ２２には、戸締りを表すシンボル、及び「戸締り」の文字が表示されている。シーン画像Ｇ１４の通知領域Ｒ２２には、おはようを表すシンボル、及び「おはよう」の文字が表示されている。
【００６３】
シーン画像Ｇ１１、Ｇ１２、Ｇ１３、Ｇ１４の各ラベル領域Ｒ１の左方は、操作領域Ｒ２３であり、操作領域Ｒ２３には左方向を示す記号「＜」が表示されている。ラベル領域Ｒ２１の右方は、操作領域Ｒ２４であり、操作領域Ｒ２４には右方向を示す記号「＞」が表示されている。操作領域Ｒ２３がタッチ操作される毎に、シーン画像Ｇ１１、Ｇ１４、Ｇ１３、Ｇ１２、Ｇ１１、………の順に、画面１１ａの表示画像が切り替わる。操作領域Ｒ２４がタッチ操作される毎に、Ｇ１１、Ｇ１２、Ｇ１３、Ｇ１４、Ｇ１１、………の順に、画面１１ａの表示画像が切り替わる。
【００６４】
シーン画像Ｇ１１、Ｇ１２、Ｇ１３、Ｇ１４の各通知領域Ｒ２２の下方は、操作領域Ｒ２５、Ｒ２６であり、操作領域Ｒ２５、Ｒ２６は、左右方向に並んで形成されている。操作領域Ｒ２５には、「スイッチ」の文字が表示されている。操作領域Ｒ２６には、「情報」の文字が表示されている。
【００６５】
シーン画像Ｇ１１、Ｇ１２、Ｇ１３、Ｇ１４のいずれかの操作領域Ｒ２５がタッチ操作されると、通信部１２は、シーンモードからスイッチモードへの切換操作がなされたことをコントローラ３へ通知する。そして、表示部１１１は、スイッチ画像Ｇ１、Ｇ２のいずれかを表示画像として画面１１ａに表示する。
【００６６】
シーン画像Ｇ１１、Ｇ１２、Ｇ１３、Ｇ１４のいずれかの操作領域Ｒ２６がタッチ操作されると、通信部１２は、シーンモードから情報提示モードへの切換操作がなされたことをコントローラ３へ通知する。そして、表示部１１１は、情報画像Ｇ２１、Ｇ２２、Ｇ２３、Ｇ２４のいずれかを表示画像として画面１１ａに表示する。
【００６７】
ユーザは、リラックスしたい場合、シーン画像Ｇ１１の通知領域Ｒ２２をタッチ操作する。シーン画像Ｇ１１の通知領域Ｒ２２がタッチ操作されると、スイッチ制御部１５は、位相制御スイッチ１４を制御して、照明器具２１の調光レベル及び調色の少なくとも一方を、「くつろぎ」に対応して予め決められている設定内容に調整する。「くつろぎ」に対応する照明器具２１の設定内容は、ユーザをリラックスさせて、落ち着かせるような設定内容である。さらに、通信部１２は、シーン制御が「くつろぎ」に設定されたことをコントローラ３へ通知する。そして、表示部１１１は、シーン画像Ｇ１１０（図６の左下）を表示画像として画面１１ａに表示する。シーン画像Ｇ１１０の通知領域Ｒ２７には、くつろぎを表すシンボル、及びシーン制御が「くつろぎ」に設定されたことを通知するメッセージが表示されている。通知領域Ｒ２７の下方は、タッチ操作される操作領域Ｒ２８である。操作領域Ｒ２８には、「閉じる」の文字が表示されている。ユーザは、シーン制御が「くつろぎ」に設定されたことを確認すると、操作領域Ｒ２８をタッチ操作する。シーン画像Ｇ１１０の操作領域Ｒ２８がタッチ操作されると、通信部１２は、操作領域Ｒ２８にタッチ操作が行われたことをコントローラ３へ通知する。そして、表示部１１１は、シーン画像Ｇ１１を表示画像として画面１１ａに表示する。このとき、シーン画像Ｇ１１は、シーン制御が「くつろぎ」に設定済であることを示すことが好ましい。
【００６８】
ユーザは、寝室内のテレビで映画を観る場合、シーン画像Ｇ１２の通知領域Ｒ２２をタッチ操作する。シーン画像Ｇ１２の通知領域Ｒ２２がタッチ操作されると、スイッチ制御部１５は、位相制御スイッチ１４を制御して、照明器具２１の調光レベル及び調色の少なくとも一方を、「シアター」に対応して予め決められている設定内容に調整する。「シアター」に対応する照明器具２１の設定内容は、映画の臨場感を向上させ、ユーザの眼を疲れにくくさせるような設定内容である。このとき、シーン画像Ｇ１１は、シーン制御が「シアター」に設定済であることを示すことが好ましい。
【００６９】
ユーザは、寝室の窓、及び扉などの戸締りをしたい場合、シーン画像Ｇ１３の通知領域Ｒ２２をタッチ操作する。シーン画像Ｇ１３の通知領域Ｒ２２がタッチ操作されると、通信部１２は、シーン制御が「戸締り」に設定されたことをコントローラ３へ通知する。コントローラ３の管理回路３１は、寝室の窓に設置されている電動シャッター２２を閉め、電気錠２３を施錠する。そして、表示部１１１は、シーン画像Ｇ１３０（図７の左下）を表示画像として画面１１ａに表示する。シーン画像Ｇ１３０の通知領域Ｒ２７には、戸締りを表すシンボル、及びシーン制御が「戸締り」に設定されたことを通知するメッセージが表示されている。ユーザは、シーン制御が「戸締り」に設定されたことを確認すると、操作領域Ｒ２８をタッチ操作する。シーン画像Ｇ１３０の操作領域Ｒ２８がタッチ操作されると、通信部１２は、操作領域Ｒ２８にタッチ操作が行われたことをコントローラ３へ通知する。そして、表示部１１１は、シーン画像Ｇ１３を表示画像として画面１１ａに表示する。このとき、シーン画像Ｇ１３は、シーン制御が「戸締り」に設定済であることを示すことが好ましい。
【００７０】
ユーザは、朝に目覚めて、起床する場合、シーン画像Ｇ１４の通知領域Ｒ２２をタッチ操作する。シーン画像Ｇ１４の通知領域Ｒ２２がタッチ操作されると、通信部１２は、シーン制御が「おはよう」に設定されたことをコントローラ３へ通知する。コントローラ３の管理回路３１は、寝室の窓に設置されている電動シャッター２２を開け、電気錠２３を解錠する。さらに、スイッチ制御部１５は、位相制御スイッチ１４を制御して、照明器具２１を点灯させる。そして、表示部１１１は、シーン画像Ｇ１４０（図７の右下）を表示画像として画面１１ａに表示する。シーン画像Ｇ１４０の通知領域Ｒ２７には、おはようを表すシンボル、及びシーン制御が「おはよう」に設定されたことを通知するメッセージが表示されている。ユーザは、シーン制御が「おはよう」に設定されたことを確認すると、操作領域Ｒ２８をタッチ操作する。シーン画像Ｇ１４０の操作領域Ｒ２８がタッチ操作されると、通信部１２は、操作領域Ｒ２８にタッチ操作が行われたことをコントローラ３へ通知する。そして、表示部１１１は、シーン画像Ｇ１４３を表示画像として画面１１ａに表示する。このとき、シーン画像Ｇ１１は、シーン制御が「おはよう」に設定済であることを示すことが好ましい。
【００７１】
上述のシーン画像Ｇ１１、Ｇ１２、Ｇ１３、Ｇ１４とシーン画像Ｇ１１０、Ｇ１３０、Ｇ１４０とは階層的に構成されている。シーン画像Ｇ１１、Ｇ１２、Ｇ１３、Ｇ１４が上位画像である。シーン画像Ｇ１１０は、シーン画像Ｇ１１の下位画像になる。シーン画像Ｇ１３０は、シーン画像Ｇ１３の下位画像になる。シーン画像Ｇ１４０は、シーン画像Ｇ１４の下位画像になる。上位画像であるシーン画像Ｇ１１、Ｇ１２、Ｇ１３、Ｇ１４でのみ、表示モードをシーンモードからスイッチモード又は情報提示モードに切り替える操作が可能になる。
【００７２】
本シーンモードでは、操作部１１２は、上述の通知領域Ｒ２２、及び操作領域Ｒ２３、Ｒ２４、Ｒ２５、Ｒ２６、Ｒ２８を含む。
【００７３】
本シーンモードでは、ラベル領域Ｒ２１、通知領域Ｒ２２、操作領域Ｒ２３、Ｒ２４、通知領域Ｒ２７、及び操作領域Ｒ２８が、各画像の表示モードに対応する情報に相当する。また、操作領域Ｒ２５、Ｒ２６が、他の表示モードの画像に切り替えるための情報に相当する。
【００７４】
（情報提示モード）
ここでは、配線器具１０及び照明器具２１は、寝室又は洗面所に設置されているとする。
【００７５】
図８及び図９は、表示モードがシーンモードであるときに配線器具１０の画面１１ａに表示画像として表示される各画像（情報画像）を示す。情報画像には、情報画像Ｇ２１、Ｇ２２、Ｇ２３、Ｇ２４が含まれる。
【００７６】
コントローラ３の管理回路３１は、サーバ５から各種の外部情報を取得することができる。管理回路３１が取得する外部情報としては、天気予報、外出時の傘の要否、洗濯指数、及び今日の天気に適した服装などの各外部情報がある。管理回路３１は、取得した各種の外部情報に基づいて画像データを作成できる。または、配線器具１０において、通信部１２がサーバ５から各種の外部情報を取得し、配線器具１０が、各種の外部情報に基づいて画像データを作成する画像データ作成部（コンピュータシステム）を備えてもよい。
【００７７】
情報画像Ｇ２１、Ｇ２２、Ｇ２３、Ｇ２４の各上部の中央はラベル領域Ｒ３１である。情報画像Ｇ２１のラベル領域Ｒ３１には、提示する情報の種別を示す「今日の天気」の文字が表示されている。情報画像Ｇ２２のラベル領域Ｒ３１には、提示する情報の種別を示す「今日の傘指数」の文字が表示されている。情報画像Ｇ２３のラベル領域Ｒ３１には、提示する情報の種別を示す「今日の洗濯指数」の文字が表示されている。情報画像Ｇ２４のラベル領域Ｒ３１には、提示する情報の種別を示す「今日の服指数」の文字が表示されている。
【００７８】
情報画像Ｇ２１、Ｇ２２、Ｇ２３、Ｇ２４の各ラベル領域Ｒ３１の下方は、提示する情報を示す通知領域Ｒ３２である。情報画像Ｇ２１の通知領域Ｒ３２には、今日の天気予報を表すシンボル、及びメッセージが表示されている。情報画像Ｇ２２の通知領域Ｒ３２には、傘を表すシンボル、並びに傘の要否及び降水確率を表すメッセージが表示されている。情報画像Ｇ２３の通知領域Ｒ３２には、洗濯を表すシンボル、並びに推奨する今日の洗濯方法及び洗濯指数を表すメッセージが表示されている。情報画像Ｇ２４の通知領域Ｒ３２には、服装のシンボル、並びに推奨する今日の服装及びその推奨度を表すメッセージが表示されている。
【００７９】
情報画像Ｇ２１、Ｇ２２、Ｇ２３、Ｇ２４の各ラベル領域Ｒ３１の左方は、操作領域Ｒ３３であり、操作領域Ｒ３３には左方向を示す記号「＜」が表示されている。ラベル領域Ｒ３１の右方は、操作領域Ｒ３４であり、操作領域Ｒ３４には右方向を示す記号「＞」が表示されている。操作領域Ｒ３３がタッチ操作される毎に、情報画像Ｇ２１、Ｇ２４、Ｇ２３、Ｇ２２、Ｇ２１、………の順に、画面１１ａの表示画像が切り替わる。操作領域Ｒ２４がタッチ操作される毎に、情報画像Ｇ２１、Ｇ２２、Ｇ２３、Ｇ２４、Ｇ２１、………の順に、画面１１ａの表示画像が切り替わる。
【００８０】
また、表示画像は、情報画像Ｇ２１、Ｇ２２、Ｇ２３、Ｇ２４、Ｇ２１の順に自動で切り換わってもよい。なお、情報画像Ｇ２１、Ｇ２２、Ｇ２３、Ｇ２４が切り替わる際の順序は、特定の順序に限定されない。
【００８１】
情報画像Ｇ２１、Ｇ２２、Ｇ２３、Ｇ２４の各通知領域Ｒ３２の下方は、操作領域Ｒ３５、Ｒ３６であり、操作領域Ｒ３５、Ｒ３６は、左右方向に並んで形成されている。操作領域Ｒ３５には、「スイッチ」の文字が表示されている。操作領域Ｒ３６には、「シーン」の文字が表示されている。
【００８２】
情報画像Ｇ２１、Ｇ２２、Ｇ２３、Ｇ２４のいずれかの操作領域Ｒ３５がタッチ操作されると、通信部１２は、情報提示モードからスイッチモードへの切換操作がなされたことをコントローラ３へ通知する。そして、表示部１１１は、スイッチ画像Ｇ１、Ｇ２のいずれかを表示画像として画面１１ａに表示する。
【００８３】
情報画像Ｇ２１、Ｇ２２、Ｇ２３、Ｇ２４のいずれかの操作領域Ｒ３６がタッチ操作されると、通信部１２は、情報提示モードからシーンモードへの切換操作がなされたことをコントローラ３へ通知する。そして、表示部１１１は、シーン画像Ｇ１１、Ｇ１２、Ｇ１３、Ｇ１４のいずれかを表示画像として画面１１ａに表示する。
【００８４】
上述の情報画像Ｇ２１、Ｇ２２、Ｇ２３、Ｇ２４は、上位画像である。上位画像である情報画像Ｇ２１、Ｇ２２、Ｇ２３、Ｇ２４では、表示モードを情報提示モードからスイッチモード又はシーンモードに切り替える操作が可能になる。
【００８５】
本情報提示モードでは、操作部１１２は、上述の操作領域Ｒ３３、Ｒ３４、Ｒ３５、Ｒ３６を含む。
【００８６】
本情報提示モードでは、ラベル領域Ｒ２１、通知領域Ｒ３２、操作領域Ｒ３３、Ｒ３４が、各画像の表示モードに対応する情報に相当する。また、操作領域Ｒ３５、Ｒ３６が、他の表示モードの画像に切り替えるための情報に相当する。
【００８７】
（シーンモード２）
ここでは、配線器具１０及び照明器具２１は、玄関の屋内側に設置されているとする。この場合、電動シャッター２２、及び電気錠２３は、施設８の窓にそれぞれ設置されている。
【００８８】
図１０は、表示モードがシーンモードであるときに配線器具１０の画面１１ａに表示画像として表示される各画像（シーン画像）を示す。シーン画像には、シーン画像Ｇ３１（図１０の左上）、Ｇ３２（図１０の右上）、Ｇ３１０（図１０の左下）が含まれる。
【００８９】
シーン画像Ｇ３１、Ｇ３２の各上部の中央はラベル領域Ｒ２１である。シーン画像Ｇ３１のラベル領域Ｒ２１には、シーン制御の識別番号である「シーン１／２」の文字が表示されている。シーン画像Ｇ３２のラベル領域Ｒ２１には、シーン制御の識別番号である「シーン２／２」の文字が表示されている。
【００９０】
シーン画像Ｇ３１、Ｇ３２の各ラベル領域Ｒ２１の下方は、シーン制御の名称を示す通知領域Ｒ２２である。シーン画像Ｇ３１の通知領域Ｒ２２には、外出を表すシンボル、及び「おでかけ」の文字が表示されている。シーン画像Ｇ３２の通知領域Ｒ２２には、帰宅を表すシンボル、及び「ただいま」の文字が表示されている。
【００９１】
シーン画像Ｇ３１、Ｇ３２の各ラベル領域Ｒ１の左方は、操作領域Ｒ２３であり、操作領域Ｒ２３には左方向を示す記号「＜」が表示されている。ラベル領域Ｒ２１の右方は、操作領域Ｒ２４であり、操作領域Ｒ２４には右方向を示す記号「＞」が表示されている。操作領域Ｒ２３がタッチ操作される毎に、シーン画像Ｇ３１、Ｇ３２、Ｇ３１………の順に、画面１１ａの表示画像が切り替わる。操作領域Ｒ２４がタッチ操作される毎に、Ｇ３１、Ｇ３２、Ｇ３１、………の順に、画面１１ａの表示画像が切り替わる。
【００９２】
シーン画像Ｇ３１、Ｇ３２の各通知領域Ｒ２２の下方は、操作領域Ｒ２５、Ｒ２６であり、操作領域Ｒ２５、Ｒ２６は、左右方向に並んで形成されている。操作領域Ｒ２５には、「スイッチ」の文字が表示されている。操作領域Ｒ２６には、「情報」の文字が表示されている。
【００９３】
シーン画像Ｇ３１、Ｇ３２のいずれかの操作領域Ｒ２５がタッチ操作されると、通信部１２は、シーンモードからスイッチモードへの切換操作がなされたことをコントローラ３へ通知する。そして、表示部１１１は、スイッチ画像Ｇ１、Ｇ２のいずれかを表示画像として画面１１ａに表示する。
【００９４】
シーン画像Ｇ３１、Ｇ３２のいずれかの操作領域Ｒ２６がタッチ操作されると、通信部１２は、シーンモードから情報提示モードへの切換操作がなされたことをコントローラ３へ通知する。そして、表示部１１１は、情報画像を表示画像として画面１１ａに表示する。
【００９５】
ユーザは、外出する場合、シーン画像Ｇ３１の通知領域Ｒ２２をタッチ操作する。シーン画像Ｇ３１の通知領域Ｒ２２がタッチ操作されると、スイッチ制御部１５は、位相制御スイッチ１４を制御して、照明器具２１を消灯させる。さらに、通信部１２は、シーン制御が「外出」に設定されたことをコントローラ３へ通知する。コントローラ３の管理回路３１は、施設８の窓に設置されている電動シャッター２２を閉め、窓の電気錠２３を施錠する。さらに、管理回路３１は、負荷２である空調装置を停止させてもよい。さらに、管理回路３１は、負荷２であるセキュリティシステムの動作を通常モードから警備モードに切り替えてもよい。そして、表示部１１１は、シーン画像Ｇ３１０を表示画像として画面１１ａに表示する。シーン画像Ｇ３１０の通知領域Ｒ２７には、外出を表すシンボル、及び戸締りが実行されたことを通知するメッセージが表示されている。ユーザは、シーン制御が「外出」に設定されたことを確認すると、操作領域Ｒ２８をタッチ操作する。シーン画像Ｇ３１０の操作領域Ｒ２８がタッチ操作されると、通信部１２は、操作領域Ｒ２８にタッチ操作が行われたことをコントローラ３へ通知する。そして、表示部１１１は、シーン画像Ｇ３１を表示画像として画面１１ａに表示する。このとき、シーン画像Ｇ３１は、シーン制御が「外出」に設定済であることを示すことが好ましい。
【００９６】
また、シーン制御が「外出」に設定された場合、表示部１１１は、図１１に示す情報画像Ｇ４１を表示画像として画面１１ａに表示してもよい。情報画像Ｇ４１の上部の中央はラベル領域Ｒ４１であり、ラベル領域Ｒ４１には、「今日の傘指数」の文字が表示されている。ラベル領域Ｒ４１の下方は、提示する情報を示す通知領域Ｒ４２である。情報画像Ｇ４１の通知領域Ｒ４２には、傘の要否、及び降水確率を表すメッセージが表示されている。ユーザは、傘の要否、及び降水確率を確認すると、操作領域Ｒ４３をタッチ操作する。情報画像Ｇ４１の操作領域Ｒ４３がタッチ操作されると、通信部１２は、操作領域Ｒ４３にタッチ操作が行われたことをコントローラ３へ通知する。そして、表示部１１１は、シーン画像Ｇ３１を表示画像として画面１１ａに表示する。
【００９７】
また、表示部１１１は、情報画像Ｇ４１を表示画像として画面１１ａに定期的に表示してもよい。この場合、情報画像Ｇ４１の更新頻度を抑制することで、配線器具１０の消費電力を低減できる。
【００９８】
ユーザは、帰宅した場合、シーン画像Ｇ３２の通知領域Ｒ２２をタッチ操作する。シーン画像Ｇ３２の通知領域Ｒ２２がタッチ操作されると、スイッチ制御部１５は、位相制御スイッチ１４を制御して、照明器具２１を点灯させる。さらに、通信部１２は、シーン制御が「帰宅」に設定されたことをコントローラ３へ通知する。コントローラ３の管理回路３１は、施設８の窓に設置されている電動シャッター２２を開け、負荷２である空調装置などの運転を開始する。さらに、管理回路３１は、負荷２であるセキュリティシステムの動作を警備モードから通常モードに切り替えてもよい。このとき、シーン画像Ｇ３２は、シーン制御が「帰宅」に設定済であることを示すことが好ましい。
【００９９】
本シーンモードでは、操作部１１２は、上述の通知領域Ｒ２２、及び操作領域Ｒ２３、Ｒ２４、Ｒ２５、Ｒ２６、Ｒ２８、Ｒ４３を含む。
【０１００】
本シーンモードでは、ラベル領域Ｒ２１、通知領域Ｒ２２、操作領域Ｒ２３、Ｒ２４、通知領域Ｒ２７、操作領域Ｒ２８、ラベル領域Ｒ４１、通知領域Ｒ４２、及び操作領域Ｒ４３が、各画像の表示モードに対応する情報に相当する。また、操作領域Ｒ２５、Ｒ２６が、他の表示モードの画像に切り替えるための情報に相当する。
【０１０１】
（制御電源）
制御電源１３は、コンデンサ又は二次電池などを含む蓄電回路を備える。制御電源１３は、交流電源９から電路Ｗ０を介して受け取った電力を蓄電回路に蓄電し、蓄電回路の蓄電電力から、直流の制御電圧Ｖｓ１（動作電力）を生成する。制御電源１３は、交流電源９の交流電圧Ｖａ１が正電圧である期間において、交流電源９から電路Ｗ０を介して受け取った電力を蓄電してもよい。また、制御電源１３は、交流電圧Ｖａ１が負電圧である期間において、交流電源９から電路Ｗ０を介して受け取った電力を蓄電してもよい。また、制御電源１３は、交流電源９の交流電圧Ｖａ１が正電圧である期間、及び交流電圧Ｖａ１が負電圧である期間の両方の期間において、交流電源９から電路Ｗ０を介して受け取った電力を蓄電してもよい。
【０１０２】
さらには、制御電源１３は、交流電圧Ｖａ１のゼロクロスタイミング以前又は以降の半周期（１／２周期）以内の期間に電路Ｗ０を介して受け取った電力を蓄電することが好ましい。当該半周期以内の期間は、交流電圧Ｖａ１の１／４周期より短いことが好ましい。
【０１０３】
位相制御を行う２線式の配線器具１０では、照明器具２１に必要な負荷電力と、配線器具１０に必要な動作電力の両方を確保することが難しい。そこで、本実施形態では、制御電源１３の蓄電回路は、位相制御スイッチ１４としてトライアック又は一対のサイリスタを用いて、位相制御スイッチ１４のターンオンのタイミングを制御する場合、交流電圧Ｖａ１のゼロクロスタイミング以前の所定期間に電路Ｗ０を介して受け取った電力を蓄電する。また、制御電源１３の蓄電回路は、位相制御スイッチ１４として一対のＦＥＴ又は一対のバイポーラトランジスタなどを用いて、位相制御スイッチ１４のターンオフのタイミングを制御する場合（逆位相制御）、交流電圧Ｖａ１のゼロクロスタイミング以降の所定期間に電路Ｗ０を介して受け取った電力を蓄電する。
【０１０４】
上述の制御電源１３は、蓄電回路の蓄電電力から、直流の制御電圧Ｖｓ１（動作電力）を生成するので、制御電圧Ｖｓ１の安定化を図り、制御電圧Ｖｓ１の低下による予期しないリセットを抑制できる。
【０１０５】
（外観）
図１２Ａ−図１２Ｆは、配線器具１０の外観を示す。
【０１０６】
配線器具１０は、矩形箱状の外額を有し、樹脂製又は金属製の矩形枠状の取付枠Ｐ２の開口内に取り付けられる。配線器具１０が取り付けられた取付枠Ｐ２は、壁面８１（図３参照）に埋設された埋込ボックスの前面に取り付けられる。配線器具１０は、取付枠Ｐ２と一体に形成されてもよい。そして、取付枠Ｐ２の前面側には、矩形枠状の配線器具用プレートＰ１が着脱自在に取り付けられる。配線器具用プレートＰ１の後面には、６個の矩形状の係止突起１０１が形成されている。取付枠Ｐ２には、６個の矩形状の孔１０２が形成されている。そして、６個の係止突起１０１が６個の孔１０２にそれぞれ嵌め込まれることで、配線器具用プレートＰ１が取付枠Ｐ２に取り付けられる。配線器具用プレートＰ１は、取付枠Ｐ２に取り付けられたねじの頭部などを隠すことによって、外観の見栄えを良くしている。配線器具用プレートＰ１は合成樹脂で形成される。
【０１０７】
（表示方法）
上述の配線器具１０の表示方法は、図１３のフローチャートに示される。図１３のフローチャートの動作は、コントローラ３の管理回路３１（コンピュータシステム）、又は配線器具１０が備えるコンピュータシステムが実行する。
【０１０８】
まず、コンピュータシステムは、画面１１ａにいずれかの画像を表示画像として表示する（Ｓ１）。
【０１０９】
次に、コンピュータシステムは、操作部１１２にタッチ操作がなされたか否かを判定する（Ｓ２）。コンピュータシステムは、操作部１１２にタッチ操作がなされていなければ、画面１１ａの表示画像を維持し、表示切替を行わない（Ｓ３）。コンピュータシステムは、操作部１１２にタッチ操作がなされると、操作部１１２の操作に対応する画像データをメモリから読み出し、読み出した画像データを画面１１ａに表示することで、表示切替を行う（Ｓ４）。
【０１１０】
コンピュータシステムは、上述のフローチャート動作を、周期的に繰り返す。
【０１１１】
（参考）
図１４Ａ−図１４Ｆは、スイッチ画面Ｇ１を表示する配線器具１の外観を示す。
【０１１２】
図１５Ａ−図１５Ｆは、スイッチ画面Ｇ２を表示する配線器具１の外観を示す。
【０１１３】
（まとめ）
上述の実施形態に係る第１の態様の負荷制御装置（１）は、造営面（８１）に固定される。負荷制御装置（１）は、画面（１１ａ）を有する表示部（１１１）と、負荷（２）の制御内容に応じた操作がなされる操作部（１１２）と、を備える。表示部（１１１）は、２つ以上の表示モードのいずれかに属する複数の画像のうち操作部（１１２）の操作に対応する画像を画面（１１ａ）に表示する。複数の画像は、当該画像の表示モードに対応する情報、及び他の表示モードの画像に切り替えるための情報をそれぞれ含む。
【０１１４】
上述の負荷制御装置（１）では、複数の画像は、当該画像の表示モードに対応する情報、及び他の表示モードの画像に切り替えるための情報をそれぞれ含む。したがって、負荷制御装置（１）は、表示部（１１１）に表示する画像をユーザが主体的に切り換えることができる。
【０１１５】
また、実施形態に係る第２の態様の負荷制御装置（１）では、第１の態様において、画面（１１ａ）に表示される画像を表示画像とする。表示部（１１１）は、表示画像を切り換えるときに動作電力を消費し、表示画像を保持するための動作電力を消費しない自己保持型の表示器であることが好ましい。
【０１１６】
上述の負荷制御装置（１）は、消費電力を低減することができる。
【０１１７】
また、実施形態に係る第３の態様の負荷制御装置（１）は、第１又は第２の態様において、スイッチ（１４）をさらに備えることが好ましい。スイッチ（１４）は、負荷（２）へ負荷電力を供給する電路（Ｗ０）を操作部（１１２）の操作に応じて導通又は遮断することで、負荷電力を調整する。
【０１１８】
上述の負荷制御装置（１）は、照明器具の点灯、消灯、調光、又は調色を行うことができる。
【０１１９】
また、実施形態に係る第４の態様の負荷制御装置（１）では、第３の態様において、電路（Ｗ０）は、２線式の電路であることが好ましい。
【０１２０】
上述の負荷制御装置（１）は、施工を簡単にすることができる。
【０１２１】
また、実施形態に係る第５の態様の配線器具（１０）は、スイッチ（１４）と、表示部（１１１）と、操作部（１１２）と、スイッチ制御部（１５）と、制御電源（１３）と、を備える。スイッチ（１４）は、交流電源（９）から負荷（２）へ負荷電力を供給する電路（Ｗ０）を導通又は遮断する。表示部（１１１）は、タッチパネル式の画面（１１ａ）を有する。操作部（１１２）は、画面（１１ａ）に設けられて、負荷（２）の制御内容に応じた操作がなされる。スイッチ制御部（１５）は、操作部（１１２）の操作に応じてスイッチ（１４）を制御する。制御電源（１３）は、スイッチ制御部（１５）、表示部（１１１）、及び操作部（１１２）の各動作電力を生成する。表示部（１１１）は、２つ以上の表示モードのいずれかに属する複数の画像のうち操作部（１１２）の操作に対応する画像を、表示画像として画面（１１ａ）に表示する。表示部（１１１）は、表示画像を切り換えるときに動作電力を消費し、表示画像を保持するための動作電力を消費しない自己保持型の表示器である。制御電源（１３）は、交流電源（９）の交流電圧（Ｖａ１）が正電圧である期間及び交流電圧（Ｖａ１）が負電圧である期間のうち、少なくとも一方の期間において、電路（Ｗ０）を介して受け取った電力を蓄電する。複数の画像は、当該画像の表示モードに対応する情報、及び他の表示モードの画像に切り替えるための情報をそれぞれ含む。
【０１２２】
上述の配線器具（１０）では、複数の画像は、当該画像の表示モードに対応する情報、及び他の表示モードの画像に切り替えるための情報をそれぞれ含む。したがって、配線器具（１０）は、表示部（１１１）に表示する画像をユーザが主体的に切り換えることができる。
【０１２３】
また、実施形態に係る第６の態様の配線器具（１０）では、第５の態様において、制御電源（１３）は、少なくとも一方の期間において、交流電圧（Ｖａ１）のゼロクロスタイミング以前又は以降の半周期以内の期間に電路（Ｗ０）を介して受け取った電力を蓄電することが好ましい。
【０１２４】
上述の配線器具（１０）は、制御電圧（Ｖｓ１）の安定化を図ることができる。
【０１２５】
また、実施形態に係る第７の態様の配線器具（１０）では、第５又は第６の態様において、複数の画像は、２つ以上の表示モードのいずれか１つにのみに属することが好ましい。
【０１２６】
上述の配線器具（１０）は、制御電圧（Ｖｓ１）の安定化を図ることができる。
【０１２７】
また、実施形態に係る第８の態様の配線器具（１０）では、第５乃至第７の態様のいずれか１つにおいて、２つ以上の表示モードのうち少なくとも１つの表示モードには、２つ以上の画像が属し、２つ以上の画像は階層的に構成されていることが好ましい。
【０１２８】
上述の配線器具（１０）では、ユーザが操作方法を把握しやすくなる。
【０１２９】
また、実施形態に係る第９の態様の配線器具（１０）では、第５乃至第８の態様のいずれか１つにおいて、負荷（２）は、複数の照明器具（２１）であることが好ましい。２つ以上の表示モードは、複数の照明器具（２１）のそれぞれを予め決められた状態に制御するシーン制御の表示モードを含む。
【０１３０】
上述の配線器具（１０）では、ユーザが操作方法を把握しやすくなる。
【０１３１】
また、実施形態に係る第１０の態様の配線器具（１０）では、第５乃至第９の態様のいずれか１つにおいて、２つ以上の表示モードは、外部機器（５）から取得された外部情報を表示する情報提示の表示モードを含むことが好ましい。
【０１３２】
上述の配線器具（１０）は、天気予報、外出時の傘の要否、洗濯指数、及び今日の天気に適した服装などの各外部情報を表示でき、ユーザの利便性が向上する。
【０１３３】
また、実施形態に係る第１１の態様の負荷制御装置（１）の表示方法は、造営面（８１）に固定される負荷制御装置（１）の表示方法である。前記表示方法は、２つ以上の表示モードのいずれかに属する複数の画像のうち負荷制御装置（１）の操作に対応する画像を負荷制御装置（１）の画面（１１ａ）に表示する。複数の画像は、当該画像の表示モードに対応する情報、及び他の表示モードの画像に切り替えるための情報をそれぞれ含む。
【０１３４】
上述の負荷制御装置（１）の表示方法では、表示部（１１１）に表示する画像をユーザが主体的に切り換えることができる。
【０１３５】
また、実施形態に係る第１２態様のプログラムは、コンピュータシステムに、第１１の態様の負荷制御装置（１）の表示方法を実現させる。
【０１３６】
上述のプログラムでは、表示部（１１１）に表示する画像をユーザが主体的に切り換えることができる。
【符号の説明】
【０１３７】
１  負荷制御装置
１０  配線器具
１１ａ  画面
１１１  表示部
１１２  操作部
１３  制御電源
１４  位相制御スイッチ（スイッチ）
１５  スイッチ制御部
２  負荷
２１  照明器具
５  サーバ（外部機器）
８１  壁面（造営面）
９  交流電源
Ｗ０  電路
Ｖａ１  交流電圧
【図１】
2020137129.tif 000003
【図２】
2020137129.tif 000004
【図３】
2020137129.tif 000005
【図４】
2020137129.tif 000006
【図５】
2020137129.tif 000007
【図６】
2020137129.tif 000008
【図７】
2020137129.tif 000009
【図８】
2020137129.tif 000010
【図９】
2020137129.tif 000011
【図１０】
2020137129.tif 000012
【図１１】
2020137129.tif 000013
【図１２】
2020137129.tif 000014
【図１３】
2020137129.tif 000015
【図１４】
2020137129.tif 000016
【図１５】
2020137129.tif 000017